(57)【要約】【課題】本発明は、面照明装置及びそれを備えた液晶表示装置に関し、低コストの面照明装置及びそれを備えた液晶表示装置を提供することを目的とする。【解決手段】液晶表示装置１は、一対の基板間に液晶を封止した液晶表示パネル２と面照明装置であるバックライトユニット６とを有している。バックライトユニット６は、複数の色度で確定される色再現範囲の光を射出する光射出面１６と、光射出面１６に光を導光する導光領域とを備えた導光板１１と、所望波長の光に対して短波長の光を導光領域に射出する第１の光源群１５ａと、所望波長の光に対して長波長の光を導光領域に射出する第２の光源群１５ｂとを備えたＬＥＤ光源１５と、第１及び第２の光源群１５ａ、１５ｂを駆動する第１及び第２の駆動部を備えた光源駆動回路とを有している。【選択図】図３
2006269098.tif 000002
【特許請求の範囲】
【請求項１】
複数の色度で確定される色再現範囲の光が射出される光射出領域と、
前記光射出領域に光を導光する導光領域と、
前記複数の色度のうちのいずれかの色度Ｘが得られる所望波長λ０の光に対して短波長の光を前記導光領域に射出する第１の光源群と、
前記所望波長λ０の光に対して長波長の光を前記導光領域に射出する第２の光源群と、
前記第１の光源群を駆動する第１の駆動部と、
前記第２の光源群を駆動する第２の駆動部と
を有することを特徴とする面照明装置。
【請求項２】
請求項１記載の面照明装置において、
前記短波長の光及び前記長波長の光のそれぞれの光量は、前記短波長の光と前記長波長の光とを混色させた光の色度が前記色度Ｘにほぼ等しくなるように調整されていることを特徴とする面照明装置。
【請求項３】
請求項１又は２に記載の面照明装置において、
前記短波長の光は、所定の波長範囲内の複数の単色光からなる単色光群αであり、
前記長波長の光は、前記所定の波長範囲と異なる波長範囲内の複数の単色光からなる単色光群βであること
を特徴とする面照明装置。
【請求項４】
請求項１乃至３のいずれか１項に記載の面照明装置において、
前記色度Ｘは、赤色、緑色又は青色の色度であることを特徴とする面照明装置。
【請求項５】
請求項１乃至３のいずれか１項に記載の面照明装置において、
前記色度Ｘは、前記複数の色度のうちのいずれか２つであり、
２つの前記色度Ｘは、赤色及び緑色、前記赤色及び青色又は前記緑色及び前記青色の色度であること
を特徴とする面照明装置。
【請求項６】
請求項１乃至３のいずれか１項に記載の面照明装置において、
前記色度Ｘは、前記複数の色度のうちのいずれか３つであり、
３つの前記色度Ｘは、赤色、緑色及び青色の色度であること
を特徴とする面照明装置。
【請求項７】
請求項４乃至６のいずれか１項に記載の面照明装置において、
前記第１の光源群は、
前記赤色の色度が得られる所望波長λＲ０の光に対して短波長の赤色の光を発光する第１のＲ発光ＬＥＤ、
前記緑色の色度が得られる所望波長λＧ０の光に対して短波長の緑色の光を発光する第１のＧ発光ＬＥＤ、
及び前記青色の色度が得られる所望波長λＢ０の光に対して短波長の青色の光を発光する第１のＢ発光ＬＥＤの少なくともいずれか１つを有し、
前記第２の光源群は、
前記所望波長λＲ０の光に対して長波長の赤色の光を発光する第２のＲ発光ＬＥＤ、
前記所望波長λＧ０の光に対して長波長の緑色の光を発光する第２のＧ発光ＬＥＤ、
及び前記所望波長λＢ０の光に対して長波長の青色の光を発光する第２のＢ発光ＬＥＤの少なくともいずれか１つを有すること
を特徴とする面照明装置。
【請求項８】
請求項７記載の面照明装置において、
前記第１の駆動部は、
前記第１のＲ発光ＬＥＤを駆動する第１のＲ用駆動回路、
前記第１のＧ発光ＬＥＤを駆動する第１のＧ用駆動回路、
及び前記第１のＢ発光ＬＥＤを駆動する第１のＢ用駆動回路の少なくともいずれか１つを有し、
前記第２の駆動部は、
前記第２のＲ発光ＬＥＤを駆動する第２のＲ用駆動回路、
前記第２のＧ発光ＬＥＤを駆動する第２のＧ用駆動回路、
及び前記第２のＢ発光ＬＥＤを駆動する第２のＢ用駆動回路の少なくともいずれか１つを有すること
を特徴とする面照明装置。
【請求項９】
請求項１乃至８のいずれか１項に記載の面照明装置において、
複数の前記色再現範囲を記憶した記憶部と、
前記複数の色再現範囲の選択に用いられる選択信号が入力される選択信号入力部と、
入力された前記選択信号に基づいて前記第１及び第２の駆動部の駆動条件を制御する制御部と
を有することを特徴とする面照明装置。
【請求項１０】
一対の基板間に液晶を封止した液晶表示パネルと、前記液晶表示パネルを照明する面照明装置とを有する液晶表示装置において、
前記面照明装置は、請求項１乃至９のいずれか１項に記載の面照明装置であること
を特徴とする液晶表示装置。
【発明の詳細な説明】
【技術分野】
【０００１】
本発明は、面照明装置及びそれを備えた液晶表示装置に関する。
【背景技術】
【０００２】
図１０は、従来の面照明装置としてのバックライトユニット１０６を備えた液晶表示装置１０１の概略構造を示している。図１０（ａ）は、液晶表示装置１０１の分解斜視図であり、図１０（ｂ）は、バックライトユニット１０６を光射出側から見た状態を示している。図１０（ａ）に示すように、液晶表示装置１０１は、一対の基板間に液晶を封止した液晶表示パネル１０２と面照明装置であるバックライトユニット１０６とを有している。
【０００３】
バックライトユニット１０６は、所定板厚の長方形の薄板状の透明部材で形成されている導光板１１１を有している。導光板１１１は、液晶表示パネル１０２に面する側に面状に分布して光を射出する光射出領域（以下、光射出面という）１１６を有している。導光板１１１の光射出面１１６の対向面は光取り出し部として機能する散乱ドット（不図示）が印刷された光散乱面となっている。導光板１１１の光射出面１１６に対向する光散乱面側には反射シート１２２が配置されている。
【０００４】
導光板１１１の光射出面１１６とその対向面の光散乱面とで挟まれた領域が光射出面１１６に光を導光するための導光領域である。また、光射出面１１６及び光散乱面の外周を囲む４つの側面部のうち、対向する例えば長辺側の両側面が導光領域に光を入光する入光面になっている。
【０００５】
導光板１１１の入光面には離散的光源列であるＬＥＤ光源１１５が配置されている。図１０（ｂ）に示すように、ＬＥＤ光源１１５は、赤色を発光するＲ発光ＬＥＤ（Ｒ）、緑色を発光するＧ発光ＬＥＤ（Ｇ）及び青色を発光するＢ発光ＬＥＤ（Ｂ）をそれぞれ複数個有している。各ＬＥＤ（Ｒ）、（Ｇ）、（Ｂ）は入光面に沿ってほぼ一直線上に配置されている。ＬＥＤ光源１１５の周囲には、ＬＥＤ光源１１５からの光を導光板１１１に効率良く入射させるためのリフレクタ（反射板）１２０（図１０（ｂ）では不図示）が配置されている。
【０００６】
導光板１１１と液晶表示パネル１０２との間には、拡散シート１０３と２枚のレンズシート１０４、１０５とがこの順に配置されている。このように、バックライトユニット１０６は、反射シート１２２、導光板１１１、拡散シート１０３及び２枚のレンズシート１０４、１０５がこの順に重ねられた構成を有している。
【０００７】
Ｒ発光ＬＥＤ（Ｒ）、Ｇ発光ＬＥＤ（Ｇ）及びＢ発光ＬＥＤ（Ｂ）からそれぞれ射出される光は導光板１１１で混色するので、バックライトユニット１０６は白色光を射出することが可能になる。液晶表示パネル１０２には画素毎にカラーフィルタが設けられている。バックライトユニット１０６から射出される光の発光スペクトルと、液晶表示パネル１０２のカラーフィルタの透過特性との組み合わせにより、液晶表示パネル１０２を透過した赤色の光（Ｒ光）、緑色の光（Ｇ光）及び青色の光（Ｂ光）のそれぞれの色度が概ね決定される。色再現範囲としてＮＴＳＣやａｄｏｂｅＲＧＢ等の種々の規格があるが、これらの規格が満たされるように、液晶表示装置１０１は各ＬＥＤ（Ｒ）、（Ｇ）、（Ｂ）のそれぞれの発光スペクトルとカラーフィルタの透過特性とが十分にマッチングするように設計されている。
【特許文献１】特開２００３−２１５３４９号公報
【特許文献２】特開２００３−９５３９０号公報
【特許文献３】特表２００３−５３２１５３号公報
【発明の開示】
【発明が解決しようとする課題】
【０００８】
各ＬＥＤ（Ｒ）、（Ｇ）、（Ｂ）の製造バラツキは比較的大きいため、一般にＬＥＤの発光ピーク波長は、設計値に対して±５〜±１０ｎｍ程度にばらついてしまう。このため、バックライトユニット１０６間で色度ズレが発生するので、上記の規格を満たすように設計されていても、当該規格を満たさない液晶表示装置１０１が製造されてしまうという問題を有している。各ＬＥＤ（Ｒ）、（Ｇ）、（Ｂ）の発光ピーク波長を管理してバックライトユニット１０６を製造することも１つの手段ではある。しかしこの場合は、例えば使用予定の全てのＬＥＤの中から所定の発光ピーク波長の光を射出するＬＥＤを選別する作業が必要になる。また、発光ピーク波長の規格を満たさないＬＥＤはバックライトユニット１０６の光源に適用し難いので、ＬＥＤの数量確保が困難になるという問題を有している。従って、バックライトユニット１０６の製造数に対してＬＥＤの数量を十分に確保するためには、必要数以上のＬＥＤを準備しておかなければならない。このため、ＬＥＤの単価が非常に高くなるという問題を有している。従って、バックライトユニット１０６及び液晶表示装置１０１も高コスト化してしまうという問題を有している。
【０００９】
本発明の目的は、低コストの面照明装置及びそれを備えた液晶表示装置を提供することにある。
【課題を解決するための手段】
【００１０】
上記目的は、複数の色度で確定される色再現範囲の光が射出される光射出領域と、前記光射出領域に光を導光する導光領域と、前記複数の色度のうちのいずれかの色度Ｘが得られる所望波長λ０の光に対して短波長の光を前記導光領域に射出する第１の光源群と、前記所望波長λ０の光に対して長波長の光を前記導光領域に射出する第２の光源群と、前記第１の光源群を駆動する第１の駆動部と、前記第２の光源群を駆動する第２の駆動部とを有することを特徴とする面照明装置によって達成される。
【発明の効果】
【００１１】
本発明によれば、低コストの面照明装置及びそれを備えた液晶表示装置が実現できる。
【発明を実施するための最良の形態】
【００１２】
本発明の一実施の形態による面照明装置及びそれを備えた液晶表示装置について図１乃至図９を用いて説明する。まず、本実施の形態による面照明装置の色度バラツキを調整するための基本原理について図１及び図２を用いて説明する。図１は、３つの色度で確定される色再現範囲を表わしたｘｙ色度図である。横軸は色度座標ｘを表し、縦軸は色度座標ｙを表わしている。図２は、図１に示す３つの色度が得られるそれぞれの光の発光スペクトルを示している。横軸は波長λ（ｎｍ）を表し、縦軸は各光を発光するＬＥＤの光量（ＬＥＤ  Ｌｉｇｈｔ  Ｏｕｔｐｕｔ）を表わしている。図２において、ＬＥＤの光量は最大値を１として規格化されている。
【００１３】
図１に示すように、色再現範囲Ａは、例えば赤色（Ｒ）、緑色（Ｇ）及び青色（Ｂ）の各色度で確定されている。図１では、例えば赤色の色度（色度Ｒ）の色度座標を（ｘｒ、ｙｒ）とし、緑色の色度（色度Ｇ）の色度座標を（ｘｇ、ｙｇ）とし、青色の色度（色度Ｂ）の色度座標を（ｘｂ、ｙｂ）としている。また、図２に示すように、色度Ｒが得られる赤色の光（Ｒ光）Ｌｒの発光ピーク波長はλＲ０であり、色度Ｇが得られる緑色の光（Ｇ光）Ｌｇの発光ピーク波長はλＧ０であり、色度Ｂが得られる青色の光（Ｂ光）Ｌｂの発光ピーク波長はλＢ０である。
【００１４】
ここで、色度Ｇを例に色度調整の基本原理について説明する。色度Ｇを実現する光源には、発光ピーク波長に基づいて予め分類されている２つのＬＥＤ（第１及び第２のＧ発光ＬＥＤ）が用いられる。第１のＧ発光ＬＥＤは目標の色度Ｇが得られる発光ピーク波長λＧ０より短波長のＧ光Ｌｇ１を発光し、第２のＧ発光ＬＥＤは発光ピーク波長λＢ０より長波長のＧ光Ｌｇ２を発光するようになっている。
【００１５】
図１に示すように、短波長のＧ光Ｌｇ１により得られる色度Ｇ１の色度座標を（ｘｇ１、ｙｇ１）とすると、色度Ｒ、色度Ｇ１及び色度Ｂで確定される色再現範囲は図中に破線で示す色再現範囲Ａ１になる。一方、長波長のＧ光Ｌｇ２により得られる色度Ｇ２の色度座標を（ｘｇ２、ｙｇ２）とすると、色度Ｒ、色度Ｇ２及び色度Ｂで確定される色再現範囲は図中に破線で示す色再現範囲Ａ２になる。面照明装置の光射出面での緑色はＧ光Ｌｇ１とＧ光Ｌｇ２とが混色した色になり、Ｇ光Ｌｇ１、Ｌｇ２のそれぞれの光量に依存する。また、Ｇ光Ｌｇ１、Ｌｇ２の光量の比率を変化させるとＧ光Ｌｇ１、Ｌｇ２のそれぞれの色度座標を結んだほぼ一直線上のいずれかの色度が得られる。Ｇ光Ｌｇ１、Ｌｇ２の光量は電流量にほぼ比例するので、第１及び第２のＧ発光ＬＥＤの駆動電流を調整してＧ光Ｌｇ１、Ｌｇ２のそれぞれの光量を最適化することにより、視認される色度を目標の色度Ｇにほぼ一致させることができる。
【００１６】
例えば、第２のＧ発光ＬＥＤの駆動電流を０にして第１及び第２のＧ発光ＬＥＤのそれぞれの駆動電流の比率を１００％：０％とすれば、緑色の色度は第１のＧ発光ＬＥＤで実現されるＧ光の色度（色度座標）となる。また、第１のＧ発光ＬＥＤの駆動電流を０にして第１及び第２のＧ発光ＬＥＤのそれぞれの駆動電流比率を０％：１００％とすれば、緑色の色度は第２のＧ発光ＬＥＤで実現されるＧ光の色度（色度座標）となる。このように、第１及び第２のＧ発光ＬＥＤの駆動電流比率を変更すると、緑の色度はＧ光Ｌｇ１により得られる色度座標（ｘｇ１、ｙｇ１）とＧ光Ｌｇ２により得られる色度座標（ｘｇ２、ｙｇ２）との２点間を動くことになる。
【００１７】
目的の色再現範囲を確定する複数の色度のうちのいずれかの色度Ｘ（色度座標（ｘ０、ｙ０））が得られる所望波長λ０の光に対して短波長の光の色度座標及び光量を順に（ｘ１、ｙ１、Ｌ１）とし、所望波長λ０の光に対して長波長の光の色度座標及び光量を順に（ｘ２、ｙ２、Ｌ２）とすると、当該短波長の光と当該長波長の光とを混色させて得られる合成色の光の色度座標及び光量（ｘ３、ｙ３、Ｌ３）は、以下のようにして求めることができる。
【００１８】
ｘ３＝（ｘ１×Ｌ１／ｙ１＋ｘ２×Ｌ２／ｙ２）／（Ｌ１／ｙ１＋Ｌ２／ｙ２）  ・・・（１）
ｙ３＝（ｙ１×Ｌ１／ｙ１＋ｙ２×Ｌ２／ｙ２）／（Ｌ１／ｙ１＋Ｌ２／ｙ２）  ・・・（２）
Ｌ３＝Ｌ１＋Ｌ２  ・・・（３）
【００１９】
式（１）及び式（２）に示すように、短波長の光の光量Ｌ１及び長波長の光の光量Ｌ２を変えることにより合成色の色度座標（ｘ３、ｙ３）を変更できる。光量Ｌ１、Ｌ２は電流量にほぼ比例するので、短波長の光を発光するＬＥＤ及び長波長の光を発光するＬＥＤの駆動電流を調整することにより、合成色の色度座標（ｘ３、ｙ３）を目標の色度Ｘの色度座標（ｘ０、ｙ０）にほぼ一致させることができる。また、合成色の光の光量Ｌ３が目標の色度Ｘの光量にほぼ等しくなるように両波長の光量Ｌ１、Ｌ２を設定することにより、色度調整後の面照明装置から射出される光の色度、すなわち複数の色度の光を合成して得られる色度を目的の色度にほぼ一致させることができる。
【００２０】
以下、実施例を用いてより具体的に説明する。
（実施例１）
まず、本実施の形態の実施例１による面照明装置としてのバックライトユニット及びそれを備えた液晶表示装置について図３乃至図６を用いて説明する。図３は、本実施例によるサイドライト型のバックライトユニット６を備えた液晶表示装置１の概略構造を示している。図３（ａ）は、液晶表示装置１の分解斜視図であり、図３（ｂ）は、バックライトユニット６を光射出側から見た状態を示している。図３（ａ）に示すように、液晶表示装置１は、一対の基板間に液晶を封止した液晶表示パネル２と面照明装置であるバックライトユニット６とを有している。
【００２１】
バックライトユニット６は、例えば所定板厚の長方形の薄板状の透明部材で形成されている導光板１１を有している。導光板１１は、液晶表示パネル２に面する側に面状に分布して光を射出する光射出領域（以下、光射出面という）１６を有している。光射出面１６からは複数（本実施例では３つ）の色度で確定される色再現範囲の光が射出される。導光板１１の光射出面１６の対向面は光取り出し部として機能する散乱ドット（不図示）が印刷された光散乱面となっている。導光板１１の光射出面１６に対向する光散乱面側には反射シート２２が配置されている。
【００２２】
導光板１１の光射出面１６とその対向面の光散乱面とで挟まれた領域が光射出面１６に光を導光するための導光領域である。また、光射出面１６及び光散乱面の外周を囲む４つの側面部のうち、対向する例えば長辺側の両側面が導光領域に光を入光する入光面になっている。
【００２３】
導光板１１の入光面に対面して、Ｒ光、Ｇ光及びＢ光をそれぞれ発光するＬＥＤを線状に配置した離散的光源列であるＬＥＤ光源１５が配置されている。図３（ｂ）に示すように、ＬＥＤ光源１５は所望波長の光に対して短波長の光を導光領域に射出する複数の第１の光源群１５ａと、所望波長の光に対して長波長の光を導光領域に射出する複数の第２の光源群１５ｂと、第１及び第２の光源群１５ａ、１５ｂを実装するＬＥＤ実装基板１８とを有している。第１及び第２の光源群１５ａ、１５ｂは光射出面１６の両側端部に配置されている。
【００２４】
液晶表示パネル２には画素毎にカラーフィルタが設けられている。バックライトユニット６から射出される光の発光スペクトルと、液晶表示パネル２のカラーフィルタの透過特性との組み合わせにより、液晶表示パネル２を透過した赤色の光（Ｒ光）、緑色の光（Ｇ光）及び青色の光（Ｂ光）のそれぞれの色度が概ね決定される。ところで、当該所望波長の光は液晶表示パネル２の表示画面上で目標の色度が得られる発光スペクトルを有している。所望波長は、例えば当該発光スペクトルにおけるピーク発光波長である。あるいは、所望波長は当該発光スペクトルにおけるドミナント波長であってもよい。ＬＥＤ光源１５に用いられるＬＥＤは、例えば射出する光の発光スペクトル及び発光ピーク波長が予め測定されており、発光ピーク波長が所望波長より短波長の光を射出する第１の光源群１５ａと、所望波長より長波長の光を射出する第２の光源群１５ｂとに分類されている。さらに、第１及び第２の光源群１５ａ、１５ｂはＲ光、Ｇ光及びＢ光を射出するＬＥＤを有している。
【００２５】
第１の光源群１５ａは、赤色の目標色度が得られる所望波長λＲ０の光に対して短波長のＲ光を発光する第１のＲ発光ＬＥＤ（Ｒ１）と、緑色の目標色度が得られる所望波長λＧ０の光に対して短波長のＧ光を発光する第１のＧ発光ＬＥＤ（Ｇ１）と、青色の目標色度が得られる所望波長λＢ０の光に対して短波長のＢ光を発光する第１のＢ発光ＬＥＤ（Ｂ１）とを有している。第１のＲ発光ＬＥＤ（Ｒ１）、第１のＧ発光ＬＥＤ（Ｇ１）及び第１のＢ発光ＬＥＤ（Ｂ１）は、例えば異なる色同士が隣接して配置されている。
【００２６】
同様に、第２の光源群１５ｂは、所望波長λＲ０の光に対して長波長のＲ光を発光する第２のＲ発光ＬＥＤ（Ｒ２）と、所望波長λＧ０の光に対して短波長のＧ光を発光する第２のＧ発光ＬＥＤ（Ｇ２）と、所望波長λＢ０の光に対して短波長のＢ光を発光する第２のＢ発光ＬＥＤ（Ｂ２）とを有している。第２のＲ発光ＬＥＤ（Ｒ２）、第２のＧ発光ＬＥＤ（Ｇ２）及び第２のＢ発光ＬＥＤ（Ｂ２）は、例えば異なる色同士が隣接して配置されている。また、第１及び第２の光源群１５ａ、１５ｂの隣接部には、例えば異なる色のＬＥＤが配置されている。
【００２７】
第１及び第２の光源群１５ａ、１５ｂの各ＬＥＤは導光板１１の入光面に沿ってほぼ一直線上に配置されている。ＬＥＤ光源１５の周囲には、ＬＥＤ光源１５からの光を導光板１１に効率良く入射させるためのリフレクタ（反射板）２０（図３（ｂ）では不図示）が配置されている。
【００２８】
導光板１１と液晶表示パネル２との間には、拡散シート３と２枚のレンズシート４、５とがこの順に配置されている。このように、バックライトユニット６は、反射シート２２、導光板１１、拡散シート３及び２枚のレンズシート４、５がこの順に重ねられた構成を有している。
【００２９】
図４は、ＬＥＤ光源１５を駆動する光源駆動回路１７の回路ブロック図である。図４に示すように、光源駆動回路１７は、第１の光源群１５ａを駆動する第１の駆動部１７ａと、第２の光源群１５ｂを駆動する第２の駆動部１７ｂとを有している。第１及び第２の駆動部１７ａ、１７ｂは、第１及び第２の光源群１５ａ、１５ｂを駆動する駆動電流が個別に調整できるように別個独立に駆動されるようになっている。本実施例では、導光板１１の光射出面１６から射出される光の色度を高精度に調整できるように、第１及び第２の駆動部１７ａ、１７ｂは光射出面１６の両端部に配置されたＬＥＤ光源１５毎に設けられているがこれに限られない。例えば、第１及び第２の駆動部１７ａ、１７ｂは光射出面１６の両端部に配置されたＬＥＤ光源１５共通に設けられていてもよい。
【００３０】
第１の駆動部１７ａは、第１のＲ発光ＬＥＤ（Ｒ１）を駆動する第１のＲ用駆動回路Ｒｃ１と、第１のＧ発光ＬＥＤ（Ｇ１）を駆動する第１のＧ用駆動回路Ｇｃ１と、第１のＢ発光ＬＥＤ（Ｂ１）を駆動する第１のＢ用駆動回路Ｂｃ１とを有している。各駆動回路Ｒｃ１、Ｇｃ１、Ｂｃ１は、各発光ＬＥＤ（Ｒ１）、（Ｇ１）、（Ｂ１）を駆動する駆動電流が個別に調整できるように別個独立に駆動されるようになっている。各駆動回路Ｒｃ１、Ｇｃ１、Ｂｃ１は、例えば定電流回路である。
【００３１】
第２の駆動部１７ｂは、第２のＲ発光ＬＥＤ（Ｒ２）を駆動する第２のＲ用駆動回路Ｒｃ２と、第２のＧ発光ＬＥＤ（Ｇ２）を駆動する第２のＧ用駆動回路Ｇｃ２と、第２のＢ発光ＬＥＤ（Ｂ２）を駆動する第２のＢ用駆動回路Ｂｃ２とを有している。各駆動回路Ｒｃ２、Ｇｃ２、Ｂｃ２は、各発光ＬＥＤ（Ｒ２）、（Ｇ２）、（Ｂ２）を駆動する駆動電流が個別に調整できるように別個独立に駆動されるようになっている。各駆動回路Ｒｃ２、Ｇｃ２、Ｂｃ２は、例えば定電流回路である。
【００３２】
図５は、ＬＥＤ光源１５に備えられた各ＬＥＤ（Ｒ１）、（Ｇ１）、（Ｂ１）、（Ｒ２）、（Ｇ２）、（Ｂ２）の発光スペクトルと、目標色度Ｒ、Ｇ、Ｂが得られるそれぞれの光の発光スペクトルとを示している。横軸は波長（ｎｍ）を表し、縦軸は各光の光強度（相対値）を表わしている。図５において、光強度は最大値を１として規格化されている。図６は、本実施例によるバックライトユニット６の目標とする色再現範囲を表わしたｘｙ色度図である。横軸は色度座標ｘを表し、縦軸は色度座標ｙを表わしている。
【００３３】
図５に示すように、第１のＲ発光ＬＥＤ（Ｒ１）は目標色度Ｒが得られる波長の光Ｌｒより短波長の光Ｌｒ１を発光する。ＬＥＤ光源１５に備えられた全ての第１のＲ発光ＬＥＤ（Ｒ１）で発光される光の波長は同一ではなく、所定の波長範囲ΔＬｒ１でばらつく可能性がある。このため、全ての第１のＲ発光ＬＥＤ（Ｒ１）で発光される光は、複数の単色光からなる単色光群（単色光群α）αｒである。また、単色光群αｒを構成する複数の単色光の各波長を平均した平均波長λＲ１は、所望波長λＲ０より短くなっている。また、単色光群αｒには、所望波長λ０にほぼ等しい波長の単色光が含まれている。このため、図６に示すように、第１のＲ発光ＬＥＤ（Ｒ１）で発光したＲ光によって光射出面１６に再現される色度は目標色度Ｒを含む領域Ｅｒ１の範囲内の色度座標で表わされる。
【００３４】
同様に、図５に示すように、第２のＲ発光ＬＥＤ（Ｒ２）は目標色度Ｒが得られる波長の光Ｌｒより長波長の光Ｌｒ２を発光する。ＬＥＤ光源１５に備えられた全ての第２のＲ発光ＬＥＤ（Ｒ２）で発光される光の波長は同一ではなく、所定の波長範囲ΔＬｒ２でばらつく可能性がある。このため、全ての第２のＲ発光ＬＥＤ（Ｒ２）で発光される光は、複数の単色光からなる単色光群（単色光群β）βｒである。また、単色光群βｒを構成する複数の単色光の各波長を平均した平均波長λＲ２は、所望波長λＲ０より長くなっている。また、単色光群βｒには、所望波長λ０にほぼ等しい波長の単色光が含まれている。このため、図６に示すように、第２のＲ発光ＬＥＤ（Ｒ２）で発光したＲ光によって光射出面１６に再現される色度は目標色度Ｒを含む領域Ｅｒ２の範囲内の色度座標で表わされる。
【００３５】
図５に示すように、第１のＧ発光ＬＥＤ（Ｇ１）で発光される短波長の光Ｌｇ１及び第２のＧ発光ＬＥＤ（Ｇ２）で発光される長波長の光Ｌｇ２についても、第１及び第２のＲ発光ＬＥＤ（Ｒ１）、（Ｒ２）と同様のことがいえる。このため、図６に示すように、複数の第１のＧ発光ＬＥＤ（Ｇ１）でそれぞれ発光した短波長の光Ｌｇ１（単色光群αｇ）による色度は目標色度Ｇを含む領域Ｅｇ１の範囲内の色度座標で表わされ、複数の第２のＧ発光ＬＥＤ（Ｇ２）でそれぞれ発光した長波長の光Ｌｇ２（単色光群βｇ）による色度は目標色度Ｇを含む領域Ｅｇ２の範囲内の色度座標で表わされる。
【００３６】
図５に示すように、第１のＢ発光ＬＥＤ（Ｂ１）で発光される短波長の光Ｌｂ１及び第２のＢ発光ＬＥＤ（Ｂ２）で発光される長波長の光Ｌｂ２についても、第１及び第２のＲ発光ＬＥＤ（Ｒ１）、（Ｒ２）と同様のことがいえる。このため、図６に示すように、複数の第１のＢ発光ＬＥＤ（Ｂ１）でそれぞれ発光した短波長の光Ｌｂ１（単色光群αｂ）による色度は目標色度Ｂを含む領域Ｅｂ１の範囲内の色度座標で表わされ、複数の第２のＧ発光ＬＥＤ（Ｂ２）で発光した長波長の光Ｌｂ２（単色光群βｂ）による色度は目標色度Ｂを含む領域Ｅｂ２の範囲内の色度座標で表わされる。
【００３７】
第１及び第２のＲ用駆動回路Ｒｃ１、Ｒｃ２、第１及び第２のＧ用駆動回路Ｇｃ１、Ｇｃ２並びに第１及び第２のＢ用駆動回路Ｂｃ１、Ｂｃ２はそれぞれ独立して駆動できる。このため、各回路Ｒｃ１、Ｒｃ２、Ｇｃ１、Ｇｃ２、Ｂｃ１、Ｂｃ２から出力される駆動電流を変化させて各ＬＥＤ（Ｒ１）、（Ｒ２）、（Ｇ１）、（Ｇ２）、（Ｂ１）、（Ｂ２）の光量を調整することができる。液晶表示パネル２の表示画面上の赤色、緑色及び青色の各色度は式（１）、（２）に基づいて変化する。これにより、各色の色度座標を目標色度Ｒ、Ｇ、Ｂの色度座標にほぼ一致させることができる。
【００３８】
また、第１及び第２のＲ発光ＬＥＤ（Ｒ１）、（Ｒ２）からそれぞれ射出される光の光量の合計の光量を目標色度Ｒが得られる光量にほぼ一致するように調整し、第１及び第２のＧ発光ＬＥＤ（Ｇ１）、（Ｇ２）からそれぞれ射出される光の光量の合計の光量を目標色度Ｇが得られる光量にほぼ一致するように調整し、第１及び第２のＢ発光ＬＥＤ（Ｂ１）、（Ｂ２）からそれぞれ射出される光の光量の合計の光量を目標色度Ｂが得られる光量にほぼ一致するように調整しておく。こうすると、各色度の調整後の表示画面のホワイトバランスを目標のホワイトバランスにほぼ一致させることができる。
【００３９】
本実施例では、各単色光群αｒ、βｒ、αｇ、βｇ、αｂ、αｇには目標色度が得られる波長の光が含まれて、領域Ｅｒ１、Ｅｒ２、Ｅｇ１、Ｅｇ２、Ｅｂ１、Ｅｂ２はそれぞれ目標色度を含んでいる。また、領域Ｅｒ１、Ｅｒ２の一部は重なり、領域Ｅｇ１、Ｅｇ２の一部は重なり、領域Ｅｂ１、Ｅｂ２の一部は重なっている。しかし、本実施例によるバックライトユニット６はこれ限られず、領域Ｅｒ１、Ｅｒ２、Ｅｇ１、Ｅｇ２、Ｅｂ１、Ｅｂ２が目標色度を含まずに、領域Ｅｒ１、Ｅｒ２、領域Ｅｇ１、Ｅｇ２並びに領域Ｅｂ１、Ｅｂ２のそれぞれが離れた色度範囲を有していても構わない。
【００４０】
また、本実施例では、対向配置されたＬＥＤ光源１５のそれぞれに、第１及び第２の光源群１５ａ、１５ｂが交互に配置されている。第１及び第２の光源群１５ａ、１５ｂをこのように配置するのは導光板１１に入光したＲ光、Ｇ光及びＢ光が導光領域内で十分に混ざり合えるようにするためである。第１及び第２の光源群１５ａ、１５ｂの配置はこれに限られず、例えば、図３（ｂ）においてＬＥＤ実装基板１８の図中右端から中央に第１の光源群１５ａを配置し、図中左端から中央に第２の光源群１５ｂを配置して、各ＬＥＤをＬＥＤ実装基板１８に実装及び配線しても構わない。また、ＬＥＤ光源１５を対向配置する場合には、ＬＥＤ光源１５の一方に第１の光源群１５ａのみを配置し、他方に第２の光源群１５ｂのみを配置する構成でも構わない。
【００４１】
また、本実施例では、第１のＲ発光ＬＥＤ（Ｒ１）は第１のＧ発光ＬＥＤ（Ｇ１）及び第１のＢ発光ＬＥＤ（Ｂ１）に隣接して配置されているが、第２のＲ発光ＬＥＤ（Ｒ２）、第２のＧ発光ＬＥＤ（Ｇ２）又は第２のＢ発光ＬＥＤ（Ｂ２）に隣接して配置されていてもよい。同様に、第２のＲ発光ＬＥＤ（Ｒ２）は第２のＧ発光ＬＥＤ（Ｇ２）及び第２のＢ発光ＬＥＤ（Ｂ２）に隣接して配置されているが、第１のＲ発光ＬＥＤ（Ｒ１）、第１のＧ発光ＬＥＤ（Ｇ１）又は第１のＢ発光ＬＥＤ（Ｂ１）に隣接して配置されていてもよい。
【００４２】
さらに、本実施例では、第１及び第２の光源群１５ａ、１５ｂは異なる色同士が隣接して配置されているが、これに限られない。例えば、第１の光源群１５ａは、複数の第１のＲ発光ＬＥＤ（Ｒ１）を１組とした第１のＲ発光ＬＥＤ群と、複数の第１のＧ発光ＬＥＤ（Ｇ１）を１組とした第１のＧ発光ＬＥＤ群と、複数の第１のＢ発光ＬＥＤ（Ｂ１）を１組とした第１のＢ発光ＬＥＤ群とを有し、第１のＲ発光ＬＥＤ群、第１のＧ発光ＬＥＤ群及び第１のＢ発光ＬＥＤ群は、異なる色同士が隣接して配置されていてもよい。同様に、第２の光源群１５ｂは、複数の第２のＲ発光ＬＥＤ（Ｒ２）を１組とした第２のＲ発光ＬＥＤ群と、複数の第２のＧ発光ＬＥＤ（Ｇ２）を１組とした第２のＧ発光ＬＥＤ群と、複数の第２のＢ発光ＬＥＤ（Ｂ２）を１組とした第２のＢ発光ＬＥＤ群とを有し、第２のＲ発光ＬＥＤ群、第２のＧ発光ＬＥＤ群及び第２のＢ発光ＬＥＤ群は異なる色同士が隣接して配置されていてもよい。
【００４３】
また、第１のＲ発光ＬＥＤ群、第１のＧ発光ＬＥＤ群及び第１のＢ発光ＬＥＤ群は、第２のＲ発光ＬＥＤ群、第２のＧ発光ＬＥＤ群又は第２のＢ発光ＬＥＤ群に隣接して配置されていてもよい。例えば、第１のＲ発光ＬＥＤ群、第２のＲ発光ＬＥＤ群、第１のＧ発光ＬＥＤ群、第２のＧ発光ＬＥＤ群、第１のＢ発光ＬＥＤ群及び第２のＢ発光ＬＥＤ群がこの順に繰り返し配列されていてもよい。
【００４４】
以上説明したように本実施例によれば、ＬＥＤ光源１５に用いられるＬＥＤから出力される光の波長特性にばらつきがあっても、各ＬＥＤの駆動電流を調整して各ＬＥＤから射出される光の光量を最適化することにより、赤色、緑色及び青色の各色度を目標の色度に調整できる。このように、本実施例によるバックライトユニット６及びそれを備えた液晶表示装置１はＬＥＤの波長特性のばらつきを活用して必要な色度範囲を実現できる。従って、目標の色度が得られる波長の光に対して短波長の光を射出するＬＥＤと、長波長の光を射出するＬＥＤとに選別して分離しておくだけでよく、特に、指定された波長特性のＬＥＤを用いる必要がない。また、使用予定の全てのＬＥＤを使用できるので、必要数量のＬＥＤを準備しておけばよい。これにより、ＬＥＤの単価を下げることができるので、バックライトユニット６及びそれを備えた液晶表示装置の低コスト化を図ることができる。さらに、目標の色度が得られる波長の光を射出するＬＥＤだけでなく、当該波長と異なる波長の光を射出する全てのＬＥＤを活用することができるので、ＬＥＤの数量確保も容易になる。また、目的に応じて表示画面の色再現範囲を変えることができるので、液晶表示装置１の用途を拡げることができる。
【００４５】
（実施例２）
次に、本実施の形態の実施例２による面照明装置としてのバックライトユニット及び液晶表示装置について図７を用いて説明する。図７は、本実施例のバックライトユニット２６の分解斜視図である。図７に示すように、本実施例によるバックライトユニット２６はＬＥＤ光源２５が導光板１１の光射出面１６の裏面側に配置された直下型構造である点に特徴を有している。ＬＥＤ光源２５は所望波長の光に対して短波長の光を導光領域に射出する第１の光源群１５ａと、所望波長の光に対して短波長の光を導光領域に射出する第１の光源群１５ｂとを有している。第１及び第２の光源群１５ａ、１５ｂは、薄型直方体の箱状に形成されて光射出面側が開口されたランプハウス２１内に配置されている。また、第１及び第２の光源群１５ａ、１５ｂは光射出面１６の裏面（光散乱面）にほぼ平行な面内で無作為に配置されている。第１の光源群１５ａは、ランプハウス２１内に配置された全ての第１のＲ発光ＬＥＤ（Ｒ１）、全ての第１のＧ発光ＬＥＤ（Ｇ１）及び全ての第１のＢ発光ＬＥＤ（Ｂ１）により構成されている。第２の光源群１５ｂは、ランプハウス２１内に配置された全ての第２のＲ発光ＬＥＤ（Ｒ２）、全ての第２のＧ発光ＬＥＤ（Ｇ２）及び全ての第２のＢ発光ＬＥＤ（Ｂ２）により構成されている。
【００４６】
第１の光源群１５ａを構成する第１のＲ発光ＬＥＤ（Ｒ１）、第１のＧ発光ＬＥＤ（Ｇ１）及び第１のＢ発光ＬＥＤ（Ｂ１）並びに第２の光源群１５ｂを構成する第２のＲ発光ＬＥＤ（Ｒ２）、第２のＧ発光ＬＥＤ（Ｇ２）及び第２のＢ発光ＬＥＤ（Ｂ２）をそれぞれ独立して駆動することにより、各ＬＥＤから射出される光の光量を調整して各色の色度を目標の色度にほぼ一致させることができる。このように、本実施例のバックライトユニット２６及びそれを備えた液晶表示装置は、上記実施例と同様の効果を得ることができる。
【００４７】
（実施例３）
次に、本実施の形態の実施例３による面照明装置としてのバックライトユニット及びそれを備えた液晶表示装置について図８及び図９を用いて説明する。本実施例によるバックライトユニットは２種類の色再現範囲を実現できる点に特徴を有している。本実施例によるバックライトユニット及びそれを備えた液晶表示装置の概略構成は上記実施例１又は２のいずれであってもよい。但し、本実施例では、緑色の色度のみが調整される例が示されているので、少なくともＧ光については、短波長及び長波長の光を発光するＬＥＤ（第１及び第２のＧ発光ＬＥＤ（Ｇ１）、（Ｇ２））が必要になる。
【００４８】
図８は、本実施例のバックライトユニットで実現できる色再現範囲Ａ、Ｂの駆動条件を示している。図８に示すように、色再現範囲Ａ、Ｂを実現するためのＬＥＤ光源の駆動条件は第１及び第２のＧ発光ＬＥＤ（Ｇ１）、（Ｇ２）のみが異なっている。色再現範囲Ａを実現するためには、第１及び第２のＧ発光ＬＥＤ（Ｇ１）、（Ｇ２）の駆動電流が１５０ｍＡに設定されるのに対して、色再現範囲Ｂを実現するためには、第１及び第２のＧ発光ＬＥＤ（Ｇ１）、（Ｇ２）の駆動電流がそれぞれ０ｍＡ及び３００ｍＡに設定される。
【００４９】
図９は、本実施例のバックライトユニットに搭載された光源駆動回路の回路ブロック図である。図９に示すように、光源駆動回路は色再現範囲Ａ、Ｂを記憶した記憶部３２と、色再現範囲Ａ、Ｂの選択に用いられる選択信号が入力される選択信号入力部３３と、入力された選択信号に基づいて第１及び第２の駆動部の駆動条件を制御する制御部３１とを有している。本実施例では、第１及び第２のＧ発光ＬＥＤ（Ｇ１）、（Ｇ２）の発光する光の光量が調整されるため、制御部３１は第１の駆動部に備えられた第１のＧ用駆動回路Ｇｃ１と、第２の駆動部に備えられた第２のＧ用駆動回路Ｇｃ２との駆動条件を制御する。また、本実施例では、記憶部３２は制御部３１に内蔵されているが、制御部３１とは別個の回路であってもよい。
【００５０】
また、光源駆動回路は、第１及び第２のＧ用駆動回路Ｇｃ１、Ｇｃ２の出力電流の電流値の制御に用いられる電流制御信号が出力される電流制御信号生成部３４と、液晶表示パネルの表示画面全体の調光に用いられる調光制御信号が出力されるパルス幅変調（ＰＷＭ）回路部３５ｇとを有している。さらに、光源駆動回路は電流制御信号生成部３４及びＰＷＭ回路部３５ｇからそれぞれ出力された信号を演算する演算回路部３６と、演算回路部３６から出力された信号を反転して第２のＧ用駆動回路Ｇｃ２に出力する反転回路部３７とを有している。
【００５１】
またさらに、光源駆動回路は、第１のＲ発光ＬＥＤ（Ｒ１）の駆動電流を出力する第１のＲ用駆動回路Ｒｃ１と、調光制御信号を出力するＰＷＭ回路部３５ｒとを有している。また、光源駆動回路は、第１のＢ発光ＬＥＤ（Ｂ１）の駆動電流を出力する第１のＢ用駆動回路Ｂｃ１と、調光制御信号を出力するＰＷＭ回路部３５ｂとを有している。なお、ＰＷＭ回路部３５ｒ、３５ｇ、３５ｂから出力されるパルス信号のデューティ比が１００％（直流信号）の場合に、表示画面の輝度は最大になる。
【００５２】
次に、光源駆動回路の動作について説明する。液晶表示装置には、例えば色再現範囲Ａ、Ｂを選択する選択用スイッチが設けられており、利用者は当該選択用スイッチを操作することにより所望の色再現範囲Ａ、Ｂが選択できるようになっている。例えば、利用者が色再現範囲Ａを選択したとする。色再現範囲Ａが選択された旨の信号が選択信号入力部３３を介して制御部３１に入力される。制御部３１は色再現範囲Ａを実現するために必要な第１及び第２のＧ用駆動回路Ｇｃ１、Ｇｃ２の駆動条件を記憶部３２から読み込んで、例えばデューティ比が５０％の電流制御用信号を出力するように電流制御信号生成部３４を制御する。
【００５３】
これにより、デューティ比が５０％の電流制御用信号が電流制御信号生成部３４から演算回路部３６に出力される。一方、演算回路部３６にはＰＷＭ回路部３５ｇから調光制御信号が入力されている。演算回路部３６は調光制御用信号と電流制御用信号とを演算して演算信号を出力する。当該演算信号は第１のＧ用駆動回路Ｇｃ１と、反転回路部３７に入力される。第１のＧ用駆動回路Ｇｃ１は当該演算信号に基づいて１５０ｍＡの電流を出力する。一方、第２のＧ用駆動回路Ｇｃ２は当該演算信号の反転信号に基づいて１５０ｍＡの電流を出力する。これにより、第１及び第２のＧ発光ＬＥＤ（Ｇ１）、（Ｇ２）から射出される光の光量が調整されて緑色の色度は目標の色度にほぼ一致させることができる。
【００５４】
また、利用者が色再現範囲Ｂを選択した場合には、制御部３１は直流の電流制御用信号を出力するように電流制御信号生成部３４を制御する。第１及び第２のＧ用駆動回路Ｇｃ１、Ｇｃ２を制御する信号は互いに位相が１８０°反転された信号であるため、ＰＷＭ回路部３５ｇの出力信号を直流信号とすることにより、例えば第１のＧ用駆動回路Ｇｃ１の出力電流を０ｍＡとし、第２のＧ用駆動回路Ｇｃ２の出力電流を３００ｍＡにすることができる。なお、本実施例の光源駆動回路の回路構成は当該構成に限られない。
【００５５】
以上説明したように、本実施例のバックライトユニット及びそれを備えた液晶表示装置によれば、表示画面に実現される色再現範囲を容易に切り替えることができるので、液晶表示装置を種々の用途に用いることが可能になる。
【００５６】
本発明は、上記実施の形態に限らず種々の変形が可能である。
上記実施の形態では、赤色、緑色及び青色の各色度がそれぞれ調整されているが、本発明はこれに限られない。例えば、赤色、緑色及び青色のいずれか１色又は２色のみの色度が調整できるようになっていても、上記実施の形態と同様の効果が得られる。特に、赤色は発光スペクトルの波長変化に対する色度座標の変動が少ないため、緑色及び青色のみを調整できるようにしても、上記実施の形態と同様の効果が得られる。
【００５７】
また、上記実施の形態では、ＬＥＤ光源１５、２５は第１及び第２の光源群１５ａ、１５ｂの２つに分類されているが、本発明はこれに限られない。ＬＥＤ光源１５、２５は３つ以上に分類されたＬＥＤ光源群を有していてもよい。例えば、バックライトユニットは第１及び第２の光源群１５ａ、１５ｂに加えて目標の色度をほぼ達成できる第３のＬＥＤ群を備えたＬＥＤ光源と、第３のＬＥＤ群を駆動する第３の駆動部とを有していてもよい。この場合、第３のＬＥＤ群を構成する全てのＬＥＤに許容範囲内で駆動電流を十分に流すことができるため、表示画面の輝度が確保し易くなる。
【００５８】
以上説明した本実施の形態による面照明装置としてのバックライトユニット及びそれを備えた液晶表示装置は、以下のようにまとめられる。
（付記１）
複数の色度で確定される色再現範囲の光が射出される光射出領域と、
前記光射出領域に光を導光する導光領域と、
前記複数の色度のうちのいずれかの色度Ｘが得られる所望波長λ０の光に対して短波長の光を前記導光領域に射出する第１の光源群と、
前記所望波長λ０の光に対して長波長の光を前記導光領域に射出する第２の光源群と、
前記第１の光源群を駆動する第１の駆動部と、
前記第２の光源群を駆動する第２の駆動部と
を有することを特徴とする面照明装置。
（付記２）
付記１記載の面照明装置において、
前記短波長の光及び前記長波長の光のそれぞれの光量は、前記短波長の光と前記長波長の光とを混色させた光の色度が前記色度Ｘにほぼ等しくなるように調整されていることを特徴とする面照明装置。
（付記３）
付記１又は２に記載の面照明装置において、
前記短波長の光は、所定の波長範囲内の複数の単色光からなる単色光群αであり、
前記長波長の光は、前記所定の波長範囲と異なる波長範囲内の複数の単色光からなる単色光群βであること
を特徴とする面照明装置。
（付記４）
付記３記載の面照明装置において、
前記単色光群αの前記複数の単色光の各波長を平均した平均波長λ１は、前記所望波長λ０より短いことを特徴とする面照明装置。
（付記５）
付記３又は４に記載の面照明装置において、
前記単色光群αの前記複数の単色光の波長の少なくとも１つは、前記所望波長λ０にほぼ等しいことを特徴とする面照明装置。
（付記６）
付記３乃至５のいずれか１項に記載の面照明装置において、
前記単色光群βの前記複数の単色光の各波長を平均した平均波長λ２は、前記所望波長λ０より長いことを特徴とする面照明装置。
（付記７）
付記３乃至６のいずれか１項に記載の面照明装置において、
前記単色光群βの前記複数の単色光の波長の少なくとも１つは、前記所望波長λ０にほぼ等しいことを特徴とする面照明装置。
（付記８）
付記３乃至７のいずれか１項に記載の面照明装置において、
前記単色光群α、βのそれぞれの前記複数の単色光の波長は、発光ピーク波長又はドミナント波長であることを特徴とする面照明装置。
（付記９）
付記１乃至８のいずれか１項に記載の面照明装置において、
前記色度Ｘは、赤色、緑色又は青色の色度であることを特徴とする面照明装置。
（付記１０）
付記１乃至８のいずれか１項に記載の面照明装置において、
前記色度Ｘは、前記複数の色度のうちのいずれか２つであり、
２つの前記色度Ｘは、赤色及び緑色、前記赤色及び青色又は前記緑色及び前記青色の色度であること
を特徴とする面照明装置。
（付記１１）
付記１乃至８のいずれか１項に記載の面照明装置において、
前記色度Ｘは、前記複数の色度のうちのいずれか３つであり、
３つの前記色度Ｘは、赤色、緑色及び青色の色度であること
を特徴とする面照明装置。
（付記１２）
付記９乃至１１のいずれか１項に記載の面照明装置において、
前記第１の光源群は、
前記赤色の色度が得られる所望波長λＲ０の光に対して短波長の赤色の光を発光する第１のＲ発光ＬＥＤ、
前記緑色の色度が得られる所望波長λＧ０の光に対して短波長の緑色の光を発光する第１のＧ発光ＬＥＤ、
及び前記青色の色度が得られる所望波長λＢ０の光に対して短波長の青色の光を発光する第１のＢ発光ＬＥＤの少なくともいずれか１つを有し、
前記第２の光源群は、
前記所望波長λＲ０の光に対して長波長の赤色の光を発光する第２のＲ発光ＬＥＤ、
前記所望波長λＧ０の光に対して長波長の緑色の光を発光する第２のＧ発光ＬＥＤ、
及び前記所望波長λＢ０の光に対して長波長の青色の光を発光する第２のＢ発光ＬＥＤの少なくともいずれか１つを有すること
を特徴とする面照明装置。
（付記１３）
付記１２記載の面照明装置において、
前記第１の駆動部は、
前記第１のＲ発光ＬＥＤを駆動する第１のＲ用駆動回路、
前記第１のＧ発光ＬＥＤを駆動する第１のＧ用駆動回路、
及び前記第１のＢ発光ＬＥＤを駆動する第１のＢ用駆動回路の少なくともいずれか１つを有し、
前記第２の駆動部は、
前記第２のＲ発光ＬＥＤを駆動する第２のＲ用駆動回路、
前記第２のＧ発光ＬＥＤを駆動する第２のＧ用駆動回路、
及び前記第２のＢ発光ＬＥＤを駆動する第２のＢ用駆動回路の少なくともいずれか１つを有すること
を特徴とする面照明装置。
（付記１４）
付記１２又は１３に記載の面照明装置において、
前記第１の光源群は、複数の前記第１のＲ発光ＬＥＤ、複数の前記第１のＧ発光ＬＥＤ及び複数の前記第１のＢ発光ＬＥＤを有し、
前記第１のＲ発光ＬＥＤ、前記第１のＧ発光ＬＥＤ及び前記第１のＢ発光ＬＥＤは、異なる色同士が隣接して配置されており、
前記第２の光源群は、複数の前記第２のＲ発光ＬＥＤ、複数の前記第２のＧ発光ＬＥＤ及び複数の前記第２のＢ発光ＬＥＤを有し、
前記第２のＲ発光ＬＥＤ、前記第２のＧ発光ＬＥＤ及び前記第２のＢ発光ＬＥＤは、異なる色同士が隣接して配置されていること
を特徴とする面照明装置。
（付記１５）
付記１４記載の面照明装置において、
前記第１のＲ発光ＬＥＤ、前記第１のＧ発光ＬＥＤ又は前記第１のＢ発光ＬＥＤは、前記第２のＲ発光ＬＥＤ、前記第２のＧ発光ＬＥＤ又は前記第２のＢ発光ＬＥＤに隣接して配置されていることを特徴とする面照明装置。
（付記１６）
付記１４又は１５に記載の面照明装置において、
前記第１の光源群は、複数の前記第１のＲ発光ＬＥＤを１組とした第１のＲ発光ＬＥＤ群と、複数の前記第１のＧ発光ＬＥＤを１組とした第１のＧ発光ＬＥＤ群と、複数の前記第１のＢ発光ＬＥＤを１組とした第１のＢ発光ＬＥＤ群とを有し、
前記第１のＲ発光ＬＥＤ群、前記第１のＧ発光ＬＥＤ群及び前記第１のＢ発光ＬＥＤ群は、異なる色同士が隣接して配置されており、
前記第２の光源群は、複数の前記第２のＲ発光ＬＥＤを１組とした第２のＲ発光ＬＥＤ群と、複数の前記第２のＧ発光ＬＥＤを１組とした第２のＧ発光ＬＥＤ群と、複数の前記第２のＢ発光ＬＥＤを１組とした第２のＢ発光ＬＥＤ群とを有し、
前記第２のＲ発光ＬＥＤ群、前記第２のＧ発光ＬＥＤ群及び前記第２のＢ発光ＬＥＤ群は、異なる色同士が隣接して配置されていること
を特徴とする面照明装置。
（付記１７）
付記１６記載の面照明装置において、
前記第１のＲ発光ＬＥＤ群、前記第１のＧ発光ＬＥＤ群又は前記第１のＢ発光ＬＥＤ群は、前記第２のＲ発光ＬＥＤ群、前記第２のＧ発光ＬＥＤ群又は前記第２のＢ発光ＬＥＤ群に隣接して配置されていることを特徴とする面照明装置。
（付記１８）
付記１乃至１７のいずれか１項に記載の面照明装置において、
前記第１及び第２の光源群は、前記光射出面の側端部に配置されていることを特徴とする面照明装置。
（付記１９）
付記１乃至１７のいずれか１項に記載の面照明装置において、
前記第１及び第２の光源群は、前記光射出面の裏面側に配置されていることを特徴とする面照明装置。
（付記２０）
付記１９記載の面照明装置において、
前記第１及び第２の光源群は、前記光射出面の裏面にほぼ平行な面内で無作為に配置されていることを特徴とする面照明装置。
（付記２１）
付記１乃至２０のいずれか１項に記載の面照明装置において、
複数の前記色再現範囲を記憶した記憶部と、
前記複数の色再現範囲の選択に用いられる選択信号が入力される選択信号入力部と、
入力された前記選択信号に基づいて前記第１及び第２の駆動部の駆動条件を制御する制御部と
を有することを特徴とする面照明装置。
（付記２２）
一対の基板間に液晶を封止した液晶表示パネルと、前記液晶表示パネルを照明する面照明装置とを有する液晶表示装置において、
前記面照明装置は、付記１乃至２１のいずれか１項に記載の面照明装置であること
を特徴とする液晶表示装置。
（付記２３）
付記２２記載の液晶表示装置において、
前記面照明装置は、バックライトユニットとして機能することを特徴とする液晶表示装置。
【図面の簡単な説明】
【００５９】
【図１】本発明の一実施の形態による面照明装置の色再現範囲を表わしたｘｙ色度図である。
【図２】本発明の一実施の形態による面照明装置であって、図１に示す３つの色度が得られるそれぞれの光の発光スペクトルを示している。
【図３】本発明の一実施の形態の実施例１によるバックライトユニット６を備えた液晶表示装置１の概略構造を示す図である。
【図４】本発明の一実施の形態の実施例１によるバックライトユニット６に備えられた光源駆動回路１７の回路ブロック図である。
【図５】本発明の一実施の形態の実施例１によるバックライトユニット６に備えられたＬＥＤ光源１５から射出される光の発光スペクトルを示す図である。
【図６】本発明の一実施の形態によるバックライトユニット６の色再現範囲を表わしたｘｙ色度図である。
【図７】本発明の一実施の形態の実施例２によるバックライトユニット２６の分解斜視図である。
【図８】本発明の一実施の形態の実施例３によるバックライトユニットで実現できる色再現範囲Ａ、Ｂの駆動条件を示す図である。
【図９】本発明の一実施の形態の実施例３によるバックライトユニットに備えられ光源駆動回路の回路ブロック図である。
【図１０】従来のバックライトユニット１０６及びそれを備えた液晶表示装置１０１の概略構造を示す図である。
【符号の説明】
【００６０】
１、１０１  液晶表示装置
２、１０２  液晶表示パネル
３、１０３  拡散シート
４、５、１０４、１０５  レンズシート
６、２６、１０６  バックライトユニット
１１、１１１  導光板
１５、２５、１１５  ＬＥＤ光源
１５ａ  第１の光源群
１５ｂ  第２の光源群
１６、１１６  光射出面
１７  光源駆動回路
１７ａ  第１の駆動部
１７ｂ  第２の駆動部
１８  ＬＥＤ実装基板
２０、１２０  リフレクタ
２１  ランプハウス
２２、１２２  反射シート
３１  制御部
３２  記憶部
３３  選択信号入力部
３４  電流制御信号生成部
３５ｂ、３５ｇ、３５ｒ  パルス幅変調回路
３６  演算回路部
３７  反転回路部
【図１】
2006269098.tif 000003
【図２】
2006269098.tif 000004
【図３】
2006269098.tif 000005
【図４】
2006269098.tif 000006
【図５】
2006269098.tif 000007
【図６】
2006269098.tif 000008
【図７】
2006269098.tif 000009
【図８】
2006269098.tif 000010
【図９】
2006269098.tif 000011
【図１０】
2006269098.tif 000012